(57)【要約】 【課題】  まな板を簡単に水切れの良い状態に支持することができ、且つ、水切りした水が直接シンクタンク内に排出されるまな板の水切用支持具を提供する。【解決手段】  流し台の後方部に設置して、まな板１０をシンクタンクの底部後端縁より手前に向けて傾倒・支持するまな板の水切用支持具であって、まな板１０を側部より係止する係止部１と、この係止部１をシンクタンクの後部上方で保持するアーム部２とで構成される。係止部１は上下に対向配置される係止突起３を備え、これらの係止突起３、３によりまな板１０の一側部が両面より支持される。【選択図】    図１
2007061134.tif 000002
【特許請求の範囲】
【請求項１】
流し台の後方部に設置して、まな板をシンクタンクの底部後端縁より手前に向けて傾倒・支持するまな板の水切用支持具であって、
前記まな板を側部より係止する係止部と、この係止部を前記シンクタンクの後部上方で保持するアーム部とで構成されることを特徴とするまな板の水切用支持具。
【請求項２】
前記係止部は、上下に対向配置されて前記まな板の一側部を両面より支持する係止突起を備えることを特徴とする請求項１に記載のまな板の水切用支持具。
【請求項３】
前記係止部は、前後に揺動可能であることを特徴とする請求項１または請求項２の何れかに記載のまな板の水切用支持具。
【発明の詳細な説明】
【技術分野】
【０００１】
本発明は、流し台に設置してまな板の水切を行うまな板の支持具に関するものである。
【背景技術】
【０００２】
まな板は、家庭内の台所に置いて、調理の際に流し台のシンクタンク横の調理台に載置して使用し、使用後はまな板面に付着した汚れを水洗いして水切りをしておく。
【０００３】
一食分の調理を行う場合であっても、まな板は調理毎に繰り返し使用され、その都度水洗いして水切をしておく。これは、まな板の面を常に清潔にしておくためである。まな板の水を布巾で拭き取ると、布巾はたちまち濡れて水切り効果が得られなくなる。
他方、水洗いして濡れたまな板をそのまま調理台の後方壁等に立て掛けて水切することもしばしば行われるが、まな板は比較的重くて厚みが薄いため立て掛けると滑り易く、なかなか面倒な作業であるが、折角立て掛けておいてもまな板が滑って倒れてしまうことも多い。また、水切りした水が調理台に溜まって不衛生である。
【０００４】
このような事情から、まな板の水切用装置も数々提案されているが（例えば、特許文献１）、使い勝手や衛生面やコストの面でなかなか満足のいくものはなかった。
【特許文献１】特開平７−２５５６１８号公報
【発明の開示】
【発明が解決しようとする課題】
【０００５】
本発明は、上記問題に鑑み成されたもので、まな板を簡単に水切れの良い状態に支持することができ、且つ、水切りした水が直接シンクタンク内に排出されるまな板の水切用支持具を提供することを目的としている。
【課題を解決するための手段】
【０００６】
すなわち、請求項１に記載の本発明は、流し台の後方部に設置して、まな板をシンクタンクの底部後端縁より手前に向けて傾倒・支持するまな板の水切用支持具であって、前記まな板を側部より係止する係止部と、この係止部を前記シンクタンクの後部上方で保持するアーム部とで構成されることを特徴としている。
【０００７】
また、請求項２に記載の本発明は、請求項１に記載のまな板の水切用支持具において、前記係止部は、上下に対向配置されて前記まな板の一側部を両面より支持する係止突起を備えることを特徴としている。
【０００８】
また、請求項３に記載の本発明は、請求項１または請求項２の何れかに記載のまな板の水切用支持具において、前記係止部は、前後に揺動可能であることを特徴としている。
【発明の効果】
【０００９】
本発明によれば、まな板を流し台のシンクタンクの底部後端縁を利用して傾倒・支持するため、水切りされた水がまな板からしたたり落ちてそのままシンクタンクの底部を伝って排水口に排出されることになり、衛生的である。
また、まな板の一側部が係止突起により両面から支持されるので、まな板をしっかり立て掛けて水切りすることができ、従来のように、立て掛けたまな板が滑って倒れてしまうことはなく、且つ、まな板と係止部との接触面積が少ないため、水切れも極めて良好である。
また、まな板の厚さに応じて、係止部を前後に揺動することにより、様々な厚さに対応できると共に、それぞれの場合において、まな板を水切れの良い最適な立て掛け角度に調整できる。
【発明を実施するための最良の形態】
【００１０】
以下、本発明に係るまな板の水切用支持具の一実施形態を図１〜図３に基づいて説明する。図１は本実施形態のまな板の水切用支持具を示し、図２は水切用支持具の使用態様を示し、図３はアーム部の取付構造を示している。
【００１１】
図１に示すように、水切用支持具は、まな板１０の側部を係止する係止部１と、この係止部を好適位置に保持するアーム部２とで構成されている。
上記係止部１は、縦長い角柱体１ａの片面に一対の係止突起３、３を対向配置したものである。本実施形態では、この係止突起３、３をボルト４とナット５にて構成したものを示したが、ボルト４とナット５に替えて、例えは、合成樹脂製等の角柱体１ａに係止突起３、３を一体成形しても勿論構わない。
他方、上記アーム部２は、適度の強度を有する、例えば、金属製、或いは合成樹脂製等の棒状体２ａで成り、一端は上述した係止部１に連結されると共に、他端は流し台２０後方部に設けられた立ち上がり２３を利用して固定される。
【００１２】
係止部１との連結は、棒状体２ａの一端部を扁平に加工し、この扁平部６と角柱体１ａの裏側を止めネジ７にて締め付けて固定する。従って、係止部１は着脱可能であり、且つ、止めネジ７の締め付けを緩めることにより、図１中の矢印で示すように、前後に揺動可能である。本実施形態では、連結部分を係止突起３、３に挟まれる角柱体１ａの長手方向のほぼ中間部位としている。
【００１３】
また、アーム部２を流し台２０に取り付けるには、図１に示すように、棒状体２ａの他端部（係止部１と反対側）を扁平して縦コの字形に曲成すると共に、このコの字体８の後縁８ｂを流し台２０の立ち上がり２３と台所の据え付け壁３０の間に挟み込んでコの字体８の前縁８ａ側より締め付けネジ９にて締め付け・固定することにより行う。
【００１４】
また、アーム部２を立ち上がり２３に固定できない構造の流し台２０では、シンクタンク２５の近傍に設けた水道栓２４を利用して取り付けることも可能である。この場合は、図３に示すように、棒状体２ａの他端部にネジ１２による締め付け式の固定バンド１１を取り付け、この固定バンド１１を水道栓２４の管部２４ａに締め付けるようにしても良い。尚、固定バンド１１にアーム部２を固定するには、例えば、図示のように、固定バンド１１の周部に嵌合部１３を設ける構造とし、この嵌合部１３に棒状体２ａの端部を差し込むようにする。
【００１５】
また、水道栓２４がシンクタンク２５の右端や左端に片寄って設置されている流し台２０の場合、上述のように係止部１は着脱可能な構造であるから、水道栓２４の設置位置に応じてアーム部２への扁平部６の取り付け面を変えれば良い。即ち、水道栓２４がシンクタンク２５の左側に設置されている場合は、係止部１の係止突起３が右側に向くようにアーム部２の扁平部６に係止部１を取り付け、水道栓２４がシンクタンク２５の右側に設置されている場合は、係止部１の係止突起３が左側に向くようにアーム部２の扁平部６に係止部１を取り付ける。
【００１６】
以上は水切用支持具を既設（使用中）の流し台２０に備え付ける場合であるが、流し台の製造工程において当水切用支持具を予め流し台２０の立ち上がり２３に備え付けておいても、或いは、水道栓２４の製造工程において当水切用支持具を予め水道栓２４の管部２４ａに備え付けておいても良い。これにより、流し台の実用価値は大きいものとなる。
【００１７】
図２は、上記構成の水切用支持具を流し台２０の立ち上がり２３に固定してまな板１０の水切を行う場合を示している。
図示のように、水切用支持具の係止部１はアーム部２によってシンクタンク２５の後部上方で保持された状態となっている。上述したように、係止部１の固定角度（まな板１０の立て掛け角度）は、係止部１の止めネジ７を緩めて係止部１を前後に揺動することで簡単に調整することが可能であり、流し台２０の面に対して手前側８０度前後に設定するのが水切れの面で好ましい。また、係止部１を前後に揺動することにより、様々な板厚のまな板１０に対応可能であって、水切の良い最適な立て掛け角度に設定することができる。
【００１８】
水切りの際は、まな板１０の下端部をシンクタンク底部２１の後端縁２１ａに突き当てて、そのまま手前側に傾けた状態でまな板１０の一側部を係止部１の係止突起３、３にて両面（表裏）２箇所で支持する。安定支持のため、係止突起３による支持位置は、まな板１０の高さ方向の中間部より幾分上側としている。
【００１９】
尚、図２では、上側の係止突起３でまな板１０の前面を支持し、下側の係止突起３でまな板１０の裏面を支持する場合を示したが、これとは逆に、上側の係止突起３でまな板１０の裏面を支持し、下側の係止突起３でまな板１０の表面を支持するようにしても構わない。後者では、まな板１０を係止部１の手前上方から差し込むようにして簡単に立て掛けられるため、狭い流し台２０に有効である。
【００２０】
このように、本実施形態の水切用支持具は、まな板１０をシンクタンク２５内の後部に立て掛けて水切りするので、シンクタンク２５横の調理台（図示せず）で調理をしていても立て掛けたまな板１０が邪魔になることはない。
また、水切り中、まな板１０の下端部はシンクタンク底部２１の後端縁２１ａに突き当たって支持されており、且つ、まな板上部の一側部が水切用支持具の係止突起３にて両面より支持されているので、従来のように、水切のために調理台の壁等にまな板１０を立て掛けておいて、まな板１０を滑させて倒してしまうといった不都合は生じない。
【００２１】
また、水切り中、係止部１はまな板１０のほんの一部にしか接触しないため、まな板１０の水切れは極めて良好であり、且つ、水切りされた水はそのままシンクタンク２５の底部２１を伝って排水口２２に排出されるため、従来のように、水切りされた水で調理台を汚すといった不都合はなくなり、衛生的である。
【図面の簡単な説明】
【００２２】
【図１】本発明に係るまな板の水切用支持具を示す斜視図。
【図２】同、まな板の水切用支持具の使用態様を示す図。
【図３】水切用支持具のアーム部の水道栓への取り付けを示す要部斜視図。
【符号の説明】
【００２３】
１  係止部
２  アーム部
３  係止突起
１０  まな板
２０  流し台
２１  底部
２１ａ  底部後端縁
２５  シンクタンク
【図１】
2007061134.tif 000003
【図２】
2007061134.tif 000004
【図３】
2007061134.tif 000005